(57)【特許請求の範囲】
【請求項１】
使用者にマッサージを行うマッサージ部と、
前記マッサージ部を制御する制御部と、を有するマッサージ機において、
前記マッサージ機は、前記使用者の体重情報を測定する測定器と通信可能であり、
前記マッサージ機は、前記使用者の前記体重情報を含む身体情報を記憶可能な記憶部と、
目標値とした前記使用者の体重情報を含む数値を設定する設定手段と、
報知部と、を有し、
前記体重情報を含む数値は、体重、ＢＭＩ、体脂肪率又は体脂肪量の少なくともいずれか一つを含み、
前記制御部は、前記目標値と前記身体情報に基づく所定の基準値とを比較し、所定の条件を満たした場合に前記目標値の変更を使用者に前記報知部で促すことを特徴とするマッサージ機を備えた施療システム。
【請求項２】
前記制御部は、前記目標値と前記所定の基準値とを比較し、所定の条件を満たした場合に前記目標値として設定することを禁止することを特徴とする請求項１に記載のマッサージ機を備えた施療システム。
【請求項３】
前記使用者に関する情報を入力する入力手段と、を有し、
前記基準値は前記使用者に関する情報に基づいて設定されることを特徴とする請求項１又は２に記載のマッサージ機を備えた施療システム。
【請求項４】
前記所定の条件は、前記目標値が前記基準値未満であることを特徴とする請求項１〜３のいずれかに記載のマッサージ機を備えた施療システム。
【請求項５】
使用者にマッサージを行うマッサージ部と、
前記マッサージ部を制御する制御部と、を有するマッサージ機において、
前記マッサージ機は、前記使用者の体重情報を測定する測定器と通信可能であり、
前記マッサージ機は、前記使用者の前記体重情報を含む身体情報を記憶可能な記憶部と、
現在値とした前記使用者の体重情報を含む現在の数値と、
目標値とした前記使用者の体重情報を含む目標の数値と、
前記目標値に到達する期間又は期限と、を設定する設定手段と、
報知部と、を有し、
前記体重情報を含む現在の数値及び前記体重情報を含む目標の数値は、体重、ＢＭＩ、体脂肪率又は体脂肪量の少なくともいずれか一つを含み、
前記制御部は、前記現在値と前記目標値との差と前記期間又は期限との関係が所定の条件を満たした場合に前記目標値と前記期間又は前記期限の少なくとも一方の変更を使用者に前記報知部で促すことを特徴とするマッサージ機を備えた施療システム。
【請求項６】
前記制御部は、前記現在値と前記目標値との差と前記期間又は期限との関係が所定の条件を満たした場合に前記目標値と前記期間又は前記期限の少なくとも一方を、前記目標値と前記期間又は前記期限として設定することを禁止することを特徴とする請求項５に記載のマッサージ機を備えた施療システム。
【請求項７】
前記所定の条件は、前記現在値と前記目標値との差と前記期間又は前記期限とで算出される平均変化率が前記所定の変化率を越えることを特徴とする請求項５〜６のいずれに記載のマッサージ機を備えた施療システム。
【請求項８】
前記使用者に関する情報を入力する入力手段と、を有し、
前記変化率は前記使用者に関する情報に基づいて設定されることを特徴とする請求項７に記載のマッサージ機を備えた施療システム。
【請求項９】
使用者にマッサージを行うマッサージ部と、
前記マッサージ部を制御する制御部と、を有するマッサージ機において、
前記マッサージ機は、前記使用者の体重情報を測定する測定器と通信可能であり、
前記マッサージ機は、前記使用者の前記体重情報を含む身体情報を記憶可能な記憶部と、
前記使用者に関する情報を入力する入力手段と、
現在値とした前記使用者の体重情報を含む現在の数値を設定する設定手段と、
報知部と、を有し、
前記体重情報を含む現在の数値は、体重、ＢＭＩ、体脂肪率又は体脂肪量の少なくともいずれか一つを含み、
前記制御部は、前記情報と前記現在値とを基に目標値と該目標値に到達する期間又は期限を複数算出し、複数の前記目標値と複数の前記期間又は複数の前記期限からなる複数の選択肢を導き出して、前記報知部で報知することを特徴とするマッサージ機を備えた施療システム。
【請求項１０】
前記現在値と前記目標値と前記期間又は前記期限との関係を示す目標情報を報知部で報知することを特徴とする請求項５〜９のいずれかに記載のマッサージ機を備えた施療システム。
【発明の詳細な説明】
【技術分野】
【０００１】
本発明はマッサージ機を備えた施療システムに関する。
【背景技術】
【０００２】
従来、使用者は、マッサージ機を用いて身体の各部を施療している。また、使用者は、自己の健康管理のために、体重計を用いた体重管理など、測定機器を用いた健康管理を行っている。このように、通常、マッサージ機を用いた身体の施療と、測定機器を用いた健康管理とは、別々に行われている。
一方、椅子に付属品として、体重計を内蔵して座るだけで体重を測定できるマッサージ機が知られている。（例えば、特許文献１参照。）
また、他の先行技術として、使用者の体重目標値や目標達成日を設定することができる体重計が知られている。（例えば、特許文献２参照。）
【先行技術文献】
【特許文献】
【０００３】
【特許文献１】特開２００１−２６９３８１号公報
【特許文献２】特許第３７２２６７８号公報
【発明の概要】
【発明が解決しようとする課題】
【０００４】
上記特許文献１に開示されたマッサージ機は、内蔵している体重計で測定し、過去の履歴等を結果として表示されるものであり、使用者が目標体重や目標期間を設定し、目標に対して現状がどうであるかを確認することができないという問題がある。また、上記特許文献２に開示された体重計は、使用者の体重目標値や目標達成日を設定することができるが、体重目標値や目標達成日が適切な設定値であるかどうかを確認することができない問題がある。そこで、本発明は、上述した問題を解消するためになされたものであり、使用者が体重に関する目標値を設定する際に、過度な目標値を設定せずに適切な目標値を設定することができるマッサージ機を備えた施療システムをを提供することを目的とする。
【課題を解決するための手段】
【０００５】
本発明は、使用者にマッサージを行うマッサージ部と、前記マッサージ部を制御する制御部と、を有するマッサージ機において、目標値とした前記使用者の体重情報を含む数値を設定する設定手段と、報知部と、を有し、前記制御部は、前記目標値と所定の基準値とを比較し、所定の条件を満たした場合に前記目標値の変更を使用者に前記報知部で促すことを特徴とする。
このような構成とすることにより、使用者が体重に関する目標値を設定する場合、その目標値が過度な値であれば、使用者に目標値を変更するように促す。よって、使用者は過度な目標値を設定せずに、適切な目標値を設定することができる。
【０００６】
また、前記制御部は、前記目標値と所定の基準値とを比較し、所定の条件を満たした場合に設定した前記目標値の設定を禁止することが好ましい。
このような構成とすることにより、使用者は過度な目標値を設定することができず、適切な目標値だけを設定することができる。
【０００７】
また、前記使用者に関する情報を入力する入力手段と、を有し、前記基準値は前記使用者に関する情報に基づいて設定されることが好ましい。
このような構成とすることにより、使用者に関する情報に応じて基準値が変わる為、使用者は個々に適した基準値を設定することができる。
【０００８】
また、前記数値は、体重，ＢＭＩ，体脂肪率又は体脂肪量であり、前記所定の条件は、前記目標値が前記基準値未満であることが好ましい。
このような構成とすることにより、使用者はより適切な目標値を設定することができる。
【０００９】
また、本発明は、使用者にマッサージを行うマッサージ部と、前記マッサージ部を制御する制御部と、を有するマッサージ機において、現在値とした前記使用者の体重情報を含む現在の数値と、目標値とした前記使用者の体重情報を含む目標の数値と、前記目標値に到達する期間又は期限と，を設定する設定手段と、報知部と、を有し、前記制御部は、前記現在値と前記目標値との差と前記期間又は期限との関係が所定の条件を満たした場合に前記目標値と前記期間又は前記期限の少なくとも一方の変更を使用者に前記報知部で促すことを特徴とする。
このような構成とすることにより、使用者が体重に関する目標値と期間又は期限を設定した場合、その目標値や期間又は期限が過度な値であれば、使用者に目標値や期間又は期限を変更するように促す。よって、使用者は過度な目標値や期間又は期限を設定せずに、適切な目標値や期間又は期限を設定することができる。
【００１０】
また、前記制御部は、前記現在値と前記目標値との差と前記期間又は期限との関係が所定の条件を満たした場合に前記目標値と前記期間又は前記期限の少なくとも一方の設定を禁止することが好ましい。
このような構成とすることにより、使用者は過度な目標値や期間又は期限を設定することができず、適切な目標値だけを設定することができる。
【００１１】
また、前記数値は、体重，ＢＭＩ，体脂肪率又は体脂肪量であり、前記所定の条件は、前記現在値と前記目標値との差と前記期間又は前記期限とで算出される平均変化率が前記所定の変化率を越えることが好ましい。
このような構成とすることにより、使用者はより適切な目標値や期間又は期限を設定することができる。
【００１２】
また、前記使用者に関する情報を入力する入力手段と、を有し、前記変化率は前記使用者に関する情報に基づいて設定されることが好ましい。
このような構成とすることにより、使用者に関する情報に応じて変化率が変わる為、使用者は個々に適した変化率を設定することができる。
【００１３】
また、本発明は、使用者にマッサージを行うマッサージ部と、前記マッサージ部を制御する制御部と、を有するマッサージ機において、前記使用者に関する情報を入力する入力手段と、現在値とした前記使用者の体重情報を含む現在の数値を設定する設定手段と、報知部と、を有し、前記制御部は、前記情報と前記現在値とを基に目標値と期間又は期限を複数算出し、複数の前記目標値と複数の前記期間又は複数の前記期限からなる複数の選択肢を導き出して、前記報知部で報知することを特徴とする。
このような構成とすることにより、使用者は複数の選択肢から自分に適した目標設定を行うことができる。
【００１４】
また、前記現在値と前記目標値と前記期間又は前記期限との関係を示す目標情報を報知部で報知することが好ましい。
このような構成とすることにより、使用者に対して目標情報を知らせることができる。
【発明の効果】
【００１５】
本発明によれば、使用者が体重に関する目標値を設定する際に、過度な目標値を設定せずに適切な目標値を設定することができる。
【図面の簡単な説明】
【００１６】
【図１】本発明の一実施形態に係る施療システムを示す全体構成図である。
【図２】図１に示すマッサージ機の正面斜視図である。
【図３】マッサージユニットの正面図である。
【図４】マッサージ機のブロック図である。
【図５】図２に示すコントローラの画面に表示される目標値とした目標体重の設定画面の一例を示す正面図である。
【図６】図２に示すコントローラの画面に表示される目標値とした目標体重の設定画面の一例を示す正面図である。
【図７】図２に示すコントローラの画面に表示される使用者に関する情報を入力する画面の一例を示す正面図である。
【図８】図２に示すコントローラの画面に表示される現在値とした現在の体重と目標値とした目標体重と目標値に到達する期間又は期限の設定画面の一例を示す正面図である。
【図９】図２に示すコントローラの画面に表示される現在値とした現在の体重と目標値とした目標体重と目標値に到達する期間又は期限の設定画面の一例を示す正面図である。
【図１０】図２に示すコントローラの画面に表示される使用者に関する情報を入力する画面の一例を示す正面図である。
【図１１】図２に示すコントローラの画面に表示される複数の選択肢画面の一例を示す正面図である。
【図１２】図２に示すコントローラの画面に表示される現在値と目標情報画面の一例を示す正面図である。
【発明を実施するための形態】
【００１７】
［施療システムの構成］
以下、本発明の一実施形態に係る施療システム１の全体構成について説明する。
図１は本発明の一実施形態に係る施療システム１の全体構成図である。図２は図１に示すマッサージ機１０の正面斜視図である。図３はマッサージユニット６の正面図である。図４はマッサージ機１０のブロック図である。なお、以下の説明で用いる方向の概念は、図２に示すマッサージ機１０を使用する使用者から見た時の方向の概念と一致するものとし、その他の場合は適宜説明するものとする。また、身体の表裏の定義については、起立した使用者の胸側を「表面」、背中側を「背面」として説明する。
【００１８】
図１に示すとおり、本発明の一実施形態に係る施療システム１は、使用者をマッサージするマッサージ機１０と、使用者の体重情報を測定する体重計３とを備えている。また、体重計３以外に体脂肪率や体脂肪量を測定できる体組成計（図示せず）であってもよい。体重計３は、マッサージ機１０と無線通信又は有線通信によって通信可能となっている。また、マッサージ機１０に内蔵された体重計３であってもよい。
【００１９】
施療システム１は、通信ネットワーク２に接続されている。通信ネットワーク２を介して、通信サーバー４１がマッサージ機１０と通信できるようになっている。通信ネットワーク２は、例えば、インターネット網、ビル内の通信ネットワーク網、地域内のネットワーク網など、を含む。
【００２０】
また、通信ネットワーク２には、通信サーバ４１と事業者４０と、病院（医療機関）５０とが接続されている。この例では、クラウド型の通信サーバ４１の例を示している。通信サーバ４１は、事業者４０が管理する通信サーバ４１であっても、他の事業者４０が管理する通信サーバ４１であってもよい。事業者４０は、例えば、マッサージ機１０を貸し出しする事業者４０、販売したマッサージ機１０を管理する事業者４０、などを含む。
病院５０は、例えば、事業者４０と提携し、使用者の体重計等の身体情報に基づいて健康に関するアドバイスを提供する病院５０を含む。病院５０は、事業者４０と一体でもよい。事業者４０と病院５０とは、通信ネットワーク２を介して接続されている必要はない。病院５０を含む構成とすることで、事業者４０から病院５０に対して、使用者の身体情報を提供することができる。病院５０は、使用者の身体情報から、使用者に対するアドバイスを提供することができる。このアドバイスは、事業者４０から通信ネットワーク２を介してマッサージ機１０に送信され、使用者に提供することができる。
【００２１】
また、体重計３はマッサージ機１０と通信可能となっているが、これらの間に、使用者の体重情報を記録する情報端末４をさらに備えるようにしてもよい。情報端末４としては、タブレット端末、携帯電話、ウェアラブル端末などを用いることができる。この情報端末４は、マッサージ機１０と有線通信又は無線通信によって通信可能な構成となっている。
このような構成とすれば、使用者はマッサージ機１０から離れた場所でも自身の体重情報を情報端末
４で確認することができる。マッサージ機１０は、情報端末４から使用者の体重情報を受信して、後述する現在値として設定することができる。
【００２２】
[マッサージ機の構成]
図２〜図４に示すとおり、マッサージ機１０は、使用者が着座する座部１１と、この座部１１に着座した使用者の上半身を後方から支持する背凭れ部１２とを有している。座部１１の左右位置にはアームレスト１３を有し、座部１１の前部にはフットレスト１４を有している。また、マッサージ機１０は、使用者に対してマッサージを行うマッサージ部１５と、マッサージ機１０の各種動作を制御する制御部１６と、使用者に各種操作を行わせるコントローラ１７と、を有している。
【００２３】
マッサージ部１５として、モータＭ１〜Ｍ３により駆動される左右で対をなす施療子６２を有するマッサージユニット６、エアの給排気により膨張収縮するエアセル２０、及びモータにより駆動されるバイブレータ２１のうち、少なくとも１つを有している。本実施形態では、背凭れ部１２にマッサージユニット６が設けられ、座部１１にエアセル２０又はバイブレータ２１が設けられ、アームレスト１３やフットレスト１４にエアセル２０又はバイブレータ２１が設けられているが、各マッサージ部１５の配置はこれに限定されない。エアセル２０は、エアを給排気することで使用者を押圧することができる。バイブレータ２１は、偏心分銅が回転することで使用者に振動を与えることができる。
【００２４】
［マッサージユニットの構成］
図３に示すとおり、背凭れ部１２には、使用者の上半身を後方（背面）からマッサージするマッサージユニット６が設けられている。このマッサージユニット６は、左右で対をなすアーム６１と、アーム６１の上下両端部に設けられた施療子６２と、により構成されており、マッサージモータＭ１の駆動により左右の施療子６２が近接離反する揉みマッサージ、及びマッサージモータＭ２の駆動により左右の施療子６２が交互に使用者側へ進退する叩きマッサージを行わせることができる。また、マッサージユニット６は、昇降モータＭ３の駆動により身長方向に沿って上方又は下方へ移動して、身体に対する位置を変更したり、ローリングマッサージを行わせたりすることができる。背凭れ部４には、身長方向に延設された左右で対をなすガイドレール１８（図２参照）が設けられており、マッサージユニット６はガイドレール１８に沿って移動する。マッサージユニット６が身長方向に移動可能であるため、使用者の首から腰の間を施療子６２でマッサージすることができる。
【００２５】
図３に示すとおり、マッサージユニット６は、ベースフレーム６０ａと、ベースフレーム６０ａに支持された可動フレーム６０ｂと、を有している。ベースフレーム６０ａは、その左右両側においてガイドレール１８に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として使用者に対して進退することができる。なお、可動フレーム６０ｂを進退させる構造でなくてもよく、アーム６１に進退駆動部６５を設けてアーム６１のみを進退させる構造であってもよい。
【００２６】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２７】
アーム６１は、前後方向に揺動自在であり、上側の施療子６２が前方へ突出するようにバネ等よりなる付勢手段（図示せず）により付勢されている。また、マッサージユニット６は、使用者の身体情報を検出するセンサ６９を有している。このセンサ６９は、アーム６１が所定の揺動位置となったことを検出することで身体情報を得ることができる。具体的に説明すると、マッサージユニット６を身長方向に沿って上昇させる過程で、上側の施療子６２が肩の上方に到達すると、施療子６２に作用する負荷が解除されて、付勢手段（図示せず）の作用によりアーム６１が前方へ揺動して所定の揺動位置となる。アーム６１が所定の揺動位置となったことをセンサ６９が検出し、その際のマッサージユニット６の上下位置に基づいて肩の位置を検出する。肩の位置を基準として、その他の部位（首、背中、腰等）の位置を計算により求める。検出された身体情報は後述する制御部１６によって後述する記憶部１８に記憶される。なお、身体情報は使用者自身が入力してもよい。この場合、例えば、コントローラ１７を操作して使用者の身長情報等の身体情報を入力し、制御部１６によって記憶部１８に記憶させることができる。
【００２８】
［制御部の構成］
図４に示すとおり、制御部１６は、プログラマブルなマイコン等を有しており、マッサージ部１５を駆動制御する。制御部１６には、マッサージユニット６を構成する各モータＭ１〜Ｍ３と進退駆動部６５とセンサ６９，マッサージユニット６やエアセル２０やバイブレータ２１等で構成されたマッサージ部１５，使用者が操作するコントローラ１７，記憶部１８が電気的に接続されている。また、記憶部１８には、体重計３からの使用者の体重情報が、制御部１６によって経時的に記録される。記憶部１８は、例えば、フラッシュメモリ，ハードディスクドライブなどを用いることができる。
マッサージ機１０は、記憶部１８に記憶された予め定められたプログラム（マッサージコース）に従って動作する他、使用者によるコントローラ１７からの指示に従って動作する。
【００２９】
アームレスト１３の上部には、コントローラ１７が備えられている。このコントローラ１７は、使用者が目視で確認できる画面１７ａと、使用者が指先で操作するタッチパネル１７ｂを有している。コントローラ１７でマッサージ部１５によるマッサージ動作を操作することができる。コントローラ１７は、使用者が着座した状態で操作できるように備えられている。コントローラ１７は、後述する目標値とした使用者の体重情報を含む数値を設定する設定手段３０や報知部３１や後述する使用者に関する情報を入力する入力手段３２の機能を有している。タッチパネル１７ｂによる操作によって、使用者の体重情報を含む数値を設定することや使用者に関する情報を入力することができる。
なお、設定手段３０や報知部３１や入力手段３２は、コントローラ１７以外であってもよい。例えば、マッサージ機１０とは別に独立した無線通信又は有線通信が可能な使用者の体重情報を記録する情報端末４であってもよい。また、報知部３１は、画面表示の他、音声やＬＥＤ等の点灯による報知とすることができる。
【００３０】
図５〜６は、コントローラ１７の画面１７ａに表示される目標値とした目標体重の設定画面の一例を示す正面図である。この例では、使用者が体重計３で測定した結果が制御部１６によって受信され、コントローラ１７の画面１７ａの上部に表示される。また、体重計３での測定の代わりに画面１７ａに現在の体重を設定できる設定画面を表示し、設定手段３０で現在の体重を設定してもよい。その下には、使用者が目標値とした目標体重の数値を設定手段３０で設定することができる。この例では、１ヶ月後の目標体重を設定するように表示されている。また、画面の下方には、報知部３１となっている。制御部１６は、目標値と所定の基準値を比較し、所定の条件を満たした場合に目標値の変更を使用者に報知部３１で促すことや目標値の設定を禁止することができる。
【００３１】
図６に示すとおり、例えば、使用者が体重計３で測定した結果、現在の体重が７０ｋｇと表示される。使用者は目標値とした目標体重を５０ｋｇに設定した場合、設定手段３０で５０ｋｇと設定する。例えば、制御部１６によって１ヶ月で減少させてもよい体重が１０ｋｇと判断されると、所定の基準値は７０ｋｇから１０ｋｇを引いた６０ｋｇとなる。制御部１６は、目標値５０ｋｇと基準値６０ｋｇとを比較し、「目標値は６０ｋg未満である」という所定の条件を満たした場合、報知部３１で「目標体重を変更して下さい。」と画面表示して、使用者の目標体重の変更を促すことや、報知部３１の「決定」ボタンを押すことができないようにし、使用者の目標体重の設定を禁止することができる。所定の条件は、上記例に限定されるものではない。また、使用者の目標体重の変更の促しは、文字による画面表示ではなく、音声出力による報知でもよい。報知内容は、上記例に限定されるものではない。使用者は、再度設定手段３０で目標体重を６０ｋｇに設定することで、報知部３１の「決定」ボタンを押すことができ、「決定」ボタンを押すことで次のステップに進むことができる。この様にすることで、使用者は過度な目標値を適切な目標値に設定することができる。
【００３２】
図７は、コントローラ１７の画面１７ａに表示される使用者に関する情報を入力する画面の一例を示す正面図である。この例では、コントローラ１７の画面１７ａに使用者に関する情報を入力する入力手段３２が表示されている。入力手段３２で使用者の生年月日や性別や身長や体重を入力することができる。制御部１６は、入力手段３２による使用者に関する情報に基づいて基準値を設定することができる。例えば、１９８０年１０月８日生まれ，男性，１７０ｃｍ，７０ｋｇと入力した場合、基準値は身長１７０ｃｍとＢＭＩ２２から算出された標準体重６３．６ｋｇとなる。もし性別が女性であれば、基準値は身長１７０ｃｍとＢＭＩ２０．８から算出された標準体重６０．７ｋｇとなる。この様に使用者に関する情報に基づいて基準値を設定することができる。なお、基準値の設定は、上記例に限定されるものではない。
【００３３】
図５〜６で示した例では、目標値とした使用者の体重情報を含む数値は体重としたが、この数値はＢＭＩ，体脂肪率又は体脂肪量を含み、所定の基準値もまたＢＭＩ，体脂肪率又は体脂肪量を含む。また、所定の基準値は、標準体重や一般的な標準値を値として設定してもよい。例えば、ＢＭＩであれば２２，体脂肪率であれば２０％，体脂肪量であれば体重×体脂脂肪率２０％の値を基準値として設定する。目標値と基準値とを比較する所定の条件は、目標値が基準値未満とする。このように所定の条件を目標値が基準値未満とすることで、使用者はより適切な目標値を設定することができる。なお、所定の条件は上記例に限定されるものではない。
【００３４】
図８〜９は、コントローラ１７の画面１７ａに表示される現在値とした現在の体重と目標値とした目標体重と目標値に到達する期間又は期限の設定画面の一例を示す正面図である。この例では、使用者が現在値とした現在の体重の数値と、目標値とした目標体重の数値と、目標値に到達する期間又は期限を設定手段３０で設定することができる。また、画面１７ａの下方は、報知部３１となっている。制御部１６は、現在値と目標値との差と前記期間又は期限との関係が所定の条件を満たした場合に目標値と期間又は期限の少なくとも一方の変更を使用者に報知部３１で促すことや目標値と期間又は期限の少なくとも一方の設定を禁止することができる。
【００３５】
図９に示すとおり、例えば、設定手段３０で使用者は現在値とした現在の体重を７０ｋｇ、目標値とした目標体重を５０ｋｇ、期間又は期限とした目標期限を２０１６年７月３１日と設定した場合、制御部１６は、現在値と目標値との差と期間又は期限との関係が、「１ヶ月の減少体重が５％以下である」という所定の条件を満たした場合、報知部３１で「目標体重を変更して下さい。」と画面表示して、使用者の目標体重の変更を促すことや、報知部３１の「決定」ボタンを押すことができないようにし、使用者の目標体重や目標期限の設定を禁止する。所定の条件は、上記例に限定されるものではなく、「１ヶ月の減少体重は５ｋｇ以下である」という条件でもよい。また、使用者の目標体重の変更の促しは、文字による画面表示ではなく、音声出力による報知でもよい。報知内容は、上記例に限定されるものではない。使用者は、再度設定手段３０で目標体重を６０ｋｇと設定することで、報知部３１の「決定」ボタンを押すことができ、「決定」ボタンを押すことで次のステップに進むことができる。使用者への変更の促しは、上記例に限定されるものではなく、期間又は期限の目標期限の変更の促しでもよい。また、目標体重や目標期限の設定の禁止は、上記例に限定されるものではなく、目標体重と目標期限の少なくとも一方の設定を禁止するだけでもよい。この様にすることで、使用者は過度な目標値や過度の期間又は期限を設定することなく、適切な目標値や適切な期間又は期限に設定することができる。
【００３６】
図８〜９で示した例では、現在値や目標値とした使用者の体重情報を含む数値は体重としたが、これらの数値はＢＭＩ，体脂肪率又は体脂肪量を含む。所定の条件は、現在値と目標値との差と期間又は期限とで算出される平均変化率が所定の変化率を越えることとする。所定の変化率としては、例えば、体重における所定の変化率は「１ヶ月の減少体重が５％」，ＢＭＩにおける所定の変化率は「１ヶ月でＢＭＩが１減少」，体脂肪率における所定の変化率は「１ヶ月で１％減少」として設定する。所定の変化率は、上記例に限定されるものではない。この様にすることで、使用者は適切な目標値や期間又は期限を設定することができ、理想的なスケジュールを組むことができる。
【００３７】
図１０は、コントローラ１７の画面１７ａに表示される使用者に関する情報を入力する画面の一例を示す正面図である。この例では、コントローラ１７の画面１７ａに使用者に関する情報を入力する入力手段３２が表示されている。入力手段３２で使用者の生年月日や性別や身長を入力することができる。制御部１６は、入力手段３２による使用者に関する情報に基づいて変化率を設定することができる。例えば、１９８０年１０月８日生まれ、性別は男性、身長１７０ｃｍと入力した場合、使用者の体重における所定の変化率は「１ヶ月の減少体重が５％」と設定される。また、性別が女性であれば、「１ヶ月の減少体重が３％」と設定される。この様に使用者に関する情報に基づいて変化率を設定することができる。変化率は上記例に限定されるものではない。
【００３８】
図１１は、コントローラ１７の画面１７ａに表示される複数の選択肢画面の一例を示す正面図である。この例では、予め、使用者に関する情報を入力手段３２で入力し、現在値とした前記使用者の体重情報を含む現在の数値を設定手段３０で設定した例を説明する。制御部１６は、使用者が入力した情報や現在値とした使用者の体重情報を含む現在の数値が画面１７ａに表示し、使用者に関する情報と現在値とを基に目標値と目標値に到達する期間又は期限を複数算出し、複数の目標値と複数の期間又は期限からなる複数の選択肢を導き出して、報知部３１で報知する。
【００３９】
図１１に示すとおり、例えば、入力手段３２の情報や設定手段３０での設定結果が画面１７ａに現在値とした体重６０ｋｇ、ＢＭＩ２４、体脂肪率２２％が表示され、使用者に対して、現在値からの目標プランが２種類表示される。２種類の目標プランは、Ａプランであれば、３ヶ月の期間で目標体重が５４．９ｋｇと表示され、Ｂプランであれば、４ヶ月の期間で目標体重が５２．９ｋｇと表示される。使用者は２種類の目標プランから選択することができる。
このように、使用者が入力した使用者に関する情報と現在値として設定した体重情報の数値を利用して、複数の目標プランが目標値と期間又は期限ともに表示され、使用者は複数の選択肢から自分に適した目標設定を行うことができる。
【００４０】
図１２は、コントローラ１７の画面１７ａに表示される現在値と目標情報画面の一例を示す正面図である。この例では、予め、使用者が設定した当時の値と目標値と目標値に到達する期間又は期限を設定し、その目標値を基準とした現在値の例を説明する。現在値と目標値と目標値に到達する期間又は期限との関係を示す目標情報を報知部３１で報知することができる。制御部１６は、コントローラ１７の画面１７ａの上部に現在値を表示し、画面１７ａの中部の報知部３１に使用者の経時的な体重の変化をグラフ表示する。このグラフ表示は、現在値と目標値と目標値に到達する期間又は期限との関係を示す目標情報に基づいて作成されている。また、目標情報は音声によって報知されてもよい。
【００４１】
図１２で示すとおり、例えば、使用者は目標期限を４ヶ月で設定し、最初の１ヶ月は順調に体重の減少傾向が見られたが、２ヶ月目〜３か月目の現在では体重が増減を繰り返していることが分かる。残り１ヶ月で目標体重まで残り５ｋｇとなっている。
このように、使用者の現在値を利用して、使用者の体重の変化と現在の状況が表示されている。これにより、使用者に対してコントローラ１７で自身の体重の変化と目標情報をグラフ表示や音声出力で報知することができる。なお、図１２では体重の履歴が月毎の表示となっているが、週毎や日毎の詳細な表示に切り替えができるようにしてもよい。この様にすることで、使用者はより詳細に現在の状況を知ることができる。
【００４２】
［他の実施形態］
また、本発明の施療システム１は、図示する形態に限らず、この発明の範囲内において他の形態のものであっても良い。
例えば、前述した実施形態では、体重計を例に挙げたが、活動量計などの測定器でもあってもよい。活動量計は、歩数だけではなく家事やデスクワークなど、さまざまな活動を測定し、１日の総消費カロリーをみることができる。マッサージ機１０とつながることで、コントローラ１７の画面１７ａに現在の状況を数値やグラフで表示することができる。また、適切な目標設定も行うことができるので、健康管理に役立つことができる。
【産業上の利用可能性】
【００４３】
本発明は、使用者が体重に関する目標値を設定する際に、過度な目標値を設定せずに適切な目標値を設定することができるマッサージ機を備えた施療システムに適用できる。
【符号の説明】
【００４４】
１  施療システム
６  マッサージユニット（マッサージ部）
１０  マッサージ機
１５  マッサージ部
１６  制御部
２０  エアセル（マッサージ部）
２１  バイブレータ（マッサージ部）
３０  設定手段
３１  報知部
３２  入力手段
【図１】
0006770831.tif 000002
【図２】
0006770831.tif 000003
【図３】
0006770831.tif 000004
【図４】
0006770831.tif 000005
【図５】
0006770831.tif 000006
【図６】
0006770831.tif 000007
【図７】
0006770831.tif 000008
【図８】
0006770831.tif 000009
【図９】
0006770831.tif 000010
【図１０】
0006770831.tif 000011
【図１１】
0006770831.tif 000012
【図１２】
0006770831.tif 000013